(57)【特許請求の範囲】
【請求項１】
埋設管体を支持する枕体の上に載置される板状のベース部材と、このベース部材上に対峙した状態で載置されて埋設管体の下部外周面を両側から支持し管体の位置ずれを防止する一対の楔部材とからなり、ベース部材の上面および楔部材の底面部に、埋設管体の軸方向に、それぞれ山部と谷部が相嵌合する山形の突条および溝が設けられており、ベース部材の突条と溝に楔部材の溝と突条を後退不能な状態に相嵌合させるように構成していると共に、上記楔部材の管体下周面の支持斜面部の表面が管体の外周半径に相当する円弧面をなし、この支持斜面部の表面に、管体の軸方向に延び且つ埋設管体の表面に付着した土砂を留めるための多数の山型条溝が形成されていることを特徴とする埋設管体の位置規制具。
【発明の詳細な説明】
【０００１】
【産業上の利用分野】
本発明は埋設管体の位置規制具、詳しくは例えば下水排出用として埋設されるコンクリート製ヒューム管や合成樹脂管を、その埋設時における水平および直列配置位置の設定並びに設定位置の保持用として好都合な埋設管体の位置規制具に関するものである。
【０００２】
【従来の技術】
従来、下水管や配水管などの大径のヒューム管や合成樹脂管（以下管体という）を埋設施工する場合には、通常掘削した溝の地盤を締め固めしたのち栗石を敷き、併せて管体を支持する数個の枕木やサドルを間隔をおいてかつ各枕木の表面が水平となるように敷設し、次いで埋設管体を枕木の上に吊り下ろし溝内に配設している先の管体に接続する。続いて水準器や水糸等の測定器具を使用し、管体の上下方向の位置決め（水平出し）および管体の水平方向の位置決め（中心出し）の作業を行って管体を設計通りの正しい位置に固定し、しかるのち土砂を投入して溝を埋め管体を土中に埋設するという作業が行われる。
【０００３】
かかる埋設作業においては、上記の管体の位置決め作業の水平出しと中心出し（特に直列・直線方向）の一方でも不正確なときは先の管体との接合精度が不良となると同時に水の抵抗や溜水の原因となるため、この管体の位置決め作業と、位置決めした状態に管体を不動状態に固定する作業が管体を埋設する際の最も重要な作業となる。
【０００４】
【発明が解決しようとする課題】
ところが上記した水平出しと中心出しの測定のうちの水平出しは、予め溝の底部に各枕木をその表面を水平となして敷設していることから管体の水平方向の位置決めは比較的容易であるが、水平方向の位置決めをしたのち中心出しを行って管体を正常に位置決めしても、その位置を土砂の投入にも拘らず不動状態に確保する手段が難しく、そのため従来、溝の側壁面と管体の側面との間にステーロッドを装架したり、あるいは硬質の木材で作られた楔を管体と枕木との隙間に挿入したりして中心出しした位置を保持するという対策がとられている。
【０００５】
しかしながらステーロッドによる管体の固定手段は、作業が煩雑となるばかりでなく高度な技術を必要とし、そのうえ固定作業の終了後の土砂の投入作業もきわめて慎重に行わねばならない。そして楔による固定手段を併用したとしても従来のこの種の楔は斜面と底面が共に平滑であるため、表面に土砂の一部が残存付着している管体と枕木との間に挿入した際、この土砂が楔の斜面と管体の表面に介在することになって楔の位置が不安定となり、ときには土砂の投入時に楔が後退移動して楔機能が果たせなくなる事態が生じる。したがってかかる不安定要素が潜在している従来の管体の位置決め固定手段においては、固定作業の終了後の土砂の投入作業には細心の注意が必要であるが、この土砂の投入作業を慎重に行ったとしても、埋設後の管体の埋設姿勢が正しく保持されているかどうかの不安を解消することができない。また、木製のステーロッドや楔は腐食するため工事現場の状況に応じて最終段階では取り除く必要があった。
【０００６】
本発明は位置決めした管体の状態を的確に保持することができ、土砂の投入などの外力を受けても楔部材の後退移動がなく、上記不安要素の解消に役立つ埋設管体の位置規制具、特に合成樹脂製の軽量な埋設管体の位置決めに好都合な埋設管体の位置規制具を提供するものである。
【０００７】
【課題を解決するための手段】
本発明は、埋設管体の位置規制具を、枕体の上に表面が山形凹凸を備えたベース部材を敷設してこのベース部材の上に管体を載せ、ベース部材の山形凹凸と噛み合う山形凹凸を底面に備えた楔部材をベース部材の上に係合させて管体を支持することによって上記課題を解決した。即ち本発明の埋設管体の位置規制具は、埋設管体を支持する枕体の上に載置される板状のベース部材と、このベース部材上に対峙した状態で載置されて埋設管体の下部外周面を両側から支持し管体の位置ずれを防止する一対の楔部材とからなり、ベース部材の上面および楔部材の底面部に、埋設管体の軸方向に、それぞれ山部と谷部が相嵌合する山形の突条および溝が設けられており、ベース部材の突条と溝に楔部材の溝と突条を後退不能な状態に相嵌合させるように構成していると共に、上記楔部材の管体下周面の支持斜面部の表面が管体の外周半径に相当する円弧面をなし、この支持斜面部の表面に、管体の軸方向に延び且つ埋設管体の表面に付着した土砂を留めるための多数の山型条溝が形成されていることを特徴とするものである。
【０００８】
【実施の形態】
本発明は図２に示しているように、管体２０は掘削された溝（図示せず）の底部に敷設された枕体２１上に載置されて埋設される管体２０の位置を決定し、管体２０の設置後の土砂投入時における管体２０の位置ずれを防止するために使用されるものであって、本発明の埋設管体の規制具の基本的な実施の形態は、図１および図２に示しているように、埋設管体の規制具を、埋設管体２０を支持する枕体２１の上に管体２０の軸方向と直交する方向に敷設される長方形状のベース部材１と、ベース部材１上に載置されて埋設管体２０の両側下周面に当接される楔部材２とから構成するとともに、ベース部材１の上面および楔部材２の底面部２Ａの埋設管体２０の軸方向に、それぞれ山部と谷部が相嵌合する同ピッチの三角山形の突条３，４および溝５，６を形成し、さらに望ましくは楔部材２の管体２０下部外周面の支持斜面部２Ｂの表面を管体２０の外径の１／２に相当する円弧の凹曲面となすとともに、この支持斜面部２Ｂの表面に、管体２０の軸方向に延びる多数の山形条溝７を形成し、図２に示しているように、枕体２１の上にベース部材１を敷設し、その上に管体２０の下部外周面を両側から支持する位置に楔部材２，２を配置してベース部材１の山部と谷部に楔部材２の谷部と山部を相嵌合させてセットし、両楔部材２，２の上に管体２０の下周面を支持させて管体２０の位置決めができるようになしている。またベース部材１上面は管体２０の軸方向に山部と谷部の凹凸に形成して中心出しが容易にできるようにしている。
【０００９】
ベース部材１は図１のようにその上面部全面に一定ピッチの波形の突条３および溝５を形成してもよいが、図３に示しているように、その中間部を平坦面１Ａとなしてその両側に一定ピッチの波形の突条３および溝５を形成し、さらに両端部分を平坦面１Ｂとなしてその平坦面１Ｂに釘打ち孔８を設け、確定したベース部材１の位置を釘打ち固定できるようにしておくこともベース部材１の好ましい実施の形態である。なお図３、図４の場合中心出し作業がされ易いように中央に中心線Ｏを設けておくとよい。
【００１０】
また楔部材２の下面に図１のように一定ピッチの波形の突条４および溝６が連続して形成されている場合には、ベース部材１の波形の突条３および溝５は必ずしも連続して形成しなくてもよく、例えば図４に示しているように、数個の突条３および溝５の間に複数の突条３を除去した状態のいくつかの平坦部１Ｃを設けても、また逆に図示を省略しているが楔部材２側の一部の突条４および溝６を除去しても本発明を満足することができる。
【００１１】
楔部材２の支持斜面部２Ｂの表面は、埋設管体２０の外周面に沿うように実質的に管体外径の１／２円弧の凹曲面であることが望ましい。そして支持斜面部２Ｂの表面に、図１に示しているように管体２０の軸方向に延びる多数の山形条溝７を形成しておけば、管体２０の表面に細かい土砂が付着していてもその土砂を条溝７内に留めることができ、支持斜面部１Ｂの表面と管体２０間に土砂が挟まって管体２０の支持形態が不安定となる現象をなくして管体２０を的確に支持することができる。また楔部材２の支持斜面部２Ｂを管体外径の１／２円弧の凹曲面になした場合には、楔部材２の成形時に楔部材２の後壁部２Ｃの表面側に、適用管体の外径を表示する数字、例えば、２００、３００、４００などを凹または凸の数字を同時成形しておけば、埋設管体２０の外径に適合する円弧状の支持斜面部２Ｂの楔部材２が識別できて好都合となる。
【００１２】
上記ベース部材１の表面部と楔部材２の底面部２Ａに形成される山形の突条３，４のピッチや突条の高さ（溝の深さ）は特に限定を要するものではないが、ピッチが２〜５ｍｍ程度、溝の深さは２〜６ｍｍ程度が実用的であり、また上記ベース部材１および楔部材２の底面部２Ａに形成される山形の突条３，４および溝５，６の形状は、単純な二等辺三角形状でもよいが、図５に示しているように、ベース部材１上において楔部材２の後退移動が不能となる鋸歯形状になすことが好ましい実施の形態である。
【００１３】
また楔部材２の形状は、ベース部材１の波形の突条３および溝５に嵌合する溝６および突条４を備えた底面部２Ａと埋設管体２０の支持斜面部２Ｂとを有していれば特に限定を要するものではなく、例えば図６に示しているように、底面部２Ａと支持斜面部２Ｂの先端部分をカットして前端面２Ｄを備えたほぼ椅子形状であってもよい。このように先端部分をカットして前端面２Ｄを備えたほぼ椅子形状の楔部材２においては、枕体２１と管体２０とのデルター隙間の奥に土砂が存在していてもその土砂に関係なく楔部材２を的確な位置にセットできる利点が得られる。
【００１４】
上記本発明の埋設管体の規制具は、耐腐食性に優れたプラスチックを金型成形して製造することがが好ましく、殊に省資源の観点から廃棄プラスチックの再生材料を使用することが一層望ましい。そして楔部材２の成形に際しては、底面部２Ａ、支持斜面部２Ｂ、後壁部２Ｃおよび頂面部２Ｅの内側に空洞部９を形成しておけば、成形後における各部の冷却時間の差が縮小され、製品、即ち楔部材２に歪みが生じるのを防止する作用を奏するとともに材料費の節約に役立つ。
【００１５】
【実施例】
図１は本発明の実施例を示しているものであって、ベース部材１は塩化ビニール樹脂を用いて形成され、長さが３６０ｍｍ、横幅が６０ｍｍ、見掛けの厚さが５ｍｍの長方形の板状をなし、表面の幅方向には、５ｍｍのピッチでもって高さ（溝の深さ）が２．５ｍｍの二等辺三角形状の突条３および溝５からなる山形凹凸が形成されている。
【００１６】
一対の楔部材２，２は廃棄プラスチックの再生材料を使用して形成され、長さが１２０ｍｍ、幅が５８ｍｍ、後壁部２Ｃの高さが６０ｍｍ、上面に円弧半径が１５０ｍｍの凹曲面をなした有効長さが１００ｍｍの支持斜面部２Ｂを備え、底面部２Ａ、支持斜面部２Ｂ、後壁部２Ｃおよび頂面部２Ｅの内側に、底面部２Ａの後方から支持斜面部２Ｂの中間位置に向かって斜めに延びる補強壁１０を備えた空洞部９が形成された側面形状がほぼ靴形の形態をなし、底面部２Ａの幅方向には、上記ベース部材１の山形凹凸と同形でありそれぞれの山部と谷部が相嵌合する山形の突条４と溝６が幅方向に設けられ、支持斜面部２Ｂの表面には、ピッチが２．５ｍｍ、深さが１ｍｍの三角形の山形条溝７が設けられていて、外径が３００ｍｍの埋設管体２０に適用されるように構成されている。
【００１７】
図２は上記したベース部材１および楔部材２，２を使用状態を示している。即ち、堀削施工された溝（図示せず）底部に間隔をおいて複数の枕体２１をその上面がそれぞれ水平となるように敷設して栗石や砕石でもって不動状態に固定し、次いで各枕体２１の上にベース部材を載置してそのベース部材１の両側に楔部材２，２を配し、続いて外径が３００ｍｍの塩化ビニール製の下水用管体２０を楔部材２，２間に載置したのち両楔部材２，２の支持斜面部２Ｂの表面が管体２０の下周面に沿って当接位置するように両楔部材２，２の位置決めをしてベース部材１の突条４と溝６に楔部材２の溝６と突条４を相嵌合させてセットし、図２のように両楔部材２，２の上に管体２０の下周面を支持させる。しかるのち枕体２１上においてベース部材１を移動調整して管体２０の中心出しを行い、管体２０を正しく位置決めし、土砂を投入して管体２０を埋設した。その後、投入土砂の一部を取り除き埋設管体２０の位置変動の有無を確認したところ、管体２０の位置には全く異常が認められなかった。
【００１８】
なお、本発明の実施例における埋設管体の位置規制具は、埋設管体２０を支持する枕体２１の上に載置されるベース部材１と、ベース部材１上に載置されて埋設管体２０の両側下周面に当接される楔部材２，２とからなり、ベース部材１の上面および楔部材２の底面部２Ａの埋設管体２０の軸方向に、それぞれ山部と谷部が相嵌合する山形の突条３，４，および溝５，６が設けられ、さらに楔部材２の管体下周面の支持斜面部２Ｂの表面が埋設管体２０の外周半径に相当する円弧の凹曲面をなしてるから、ベース部材１の上に配する楔部材２，２の管体２０の正常な支持位置は、計算上あるいは実験的に予め知ることができ、したがって枕体２１上に載置したベース部材１の上に予め楔部材２，２を管体２０の正常な支持位置に配設したのち埋設管体２０を吊り降ろせば、あとはベース部材１の位置を調整するだけで管体２０の中心出しができ、埋設管体２０の位置決め作業能率をさらに向上させることができる。
【００１９】
【発明の効果】
このように本発明における埋設管体の位置規制具は、埋設管体２０を支持する枕体２１の上に載置されるベース部材１と、ベース部材１上に載置されて埋設管体２０の両側下周面に当接される楔部材２，２とからなり、ベース部材１の上面および楔部材２の底面部２Ａの埋設管体２０の軸方向に、それぞれ山部と谷部が相嵌合する山形の突条３，４および溝５，６が設けられてなるものであるから、埋設管体２０の位置を規制する楔部材２をベース部材１の上に後退不能な状態にセットして管体２２の正常位置を確実に保持することができ、埋設管体２０の位置決め後の特に比較的軽量で不安定な合成樹脂製の埋設管体２０であっても土砂の投入による埋設管体２０の移動不安を解消することができる。したがって軽量な合成樹脂製の埋設管体用として特に優れた効果を発揮することができる。またベース部材１上面には埋設管体２０の直交方向に山部と谷部の凹凸が形成されているので仮に左右に片寄って載置している場合にも中心出しが容易である。
【００２０】
さらに上記楔部材２の管体下周面の支持斜面部２Ｂの表面が管体２０の外周半径に相当する円弧凹曲面をなし、この支持斜面部２Ｂの表面に、管体２０の軸方向に延びる多数の山形条溝７が形成されている形態においては、上記しているようにベース部材１の上に配する楔部材２，２の管体２０の正常な支持位置を計算上あるいは実験的に予め知ることができるから埋設管体の位置決め作業が容易となり、また管体２０の表面に少量の細かい土砂が付着していてもその土砂を条溝８内に留めることができ、支持斜面部２Ｂの表面と管体２０間に土砂が挟まって管体２０の支持形態が不安定となる現象をなくして管体２０を的確に支持することができるという効果が得られる。
【００２１】
そのうえ本発明の埋設管体の位置規制具は、構造が簡単なことから廃棄プラスチック材料でも形成でき、省資源リサイクルに寄与できるばかりでなく埋設後の腐食変形もなく、埋設管体２０の正常な位置を長期間に亘り確保することができる。
【図面の簡単な説明】
【図１】本発明の埋設管体の位置規制具の斜視図である。
【図２】図１に示した位置規制具の使用状態を示した正面図である。
【図３】本発明の位置規制具のベース部材の他の実施形態を示した斜視図である。
【図４】本発明の位置規制具のベース部材のさらに他の実施形態を示した斜視図である。
【図５】本発明の埋設管体の位置規制具の他の実施形態を示した側面図である。
【図６】本発明の埋設管体の位置規制具のさらに他の実施形態を示した側面図である。
【符号の説明】
１．ベース部材
２．楔部材
２Ａ．楔部材の底面部
２Ｂ．楔部材の支持斜面部
３．ベース部材の突条
４．ベース部材の溝
５．楔部材の突条
６．楔部材の溝
７．支持斜面部の山形条溝
２０．埋設管体
２１．枕体
【図１】
0003560704.tif 000002
【図２】
0003560704.tif 000003
【図３】
0003560704.tif 000004
【図４】
0003560704.tif 000005
【図５】
0003560704.tif 000006
【図６】
0003560704.tif 000007